(57)【要約】診断支援システムは、ネットワークを介して接続された移動端末（１４）と解析センター（２０）とを含み、移動端末（１４）を保持するユーザの疾患の罹患可能性を判断する。解析センター（２０）は、ユーザの症状を示す症状データを、移動端末（１４）から症状データの作成位置および作成日時に対応付けて取得するデータ取得部（２６）と、症状データと疾患の罹患者に発生する特徴を示す参照パラメータとに基づき、ユーザが疾患に罹患している罹患可能性を判断する罹患可能性計算部（３６）と、複数のユーザの罹患可能性と対応する位置および日時とに基づき、エリア毎および期間毎に疾患の罹患者の存在状況を推定する推定処理部（３４）と、を含む。
2004098402.tif 000002
【特許請求の範囲】
【請求項１】
ネットワークを介して接続された移動端末と解析センターとを含み、前記移動端末を保持するユーザの疾患の罹患可能性を判断する診断支援システムであって、
前記移動端末は、
前記ユーザから採取した試料中に前記疾患の罹患を特徴的に示す特徴成分が存在するか否かを検出する検出部と、
前記検出部による検出結果をユーザの症状を示す症状データとして前記解析センターに送信する送信処理部と、を含み、
前記解析センターは、
前記症状データを、前記移動端末から前記症状データが送信されたときの前記移動端末の位置に対応付けて取得するデータ取得部と、
前記症状データと前記疾患の罹患者に発生する特徴を示す参照パラメータとに基づき、前記ユーザが前記疾患に罹患している罹患可能性を計算する罹患可能性計算部と、
複数の前記ユーザの前記罹患可能性と対応する前記位置とに基づき、エリア毎に前記疾患の罹患者の存在状況を推定する推定処理部と、を含むことを特徴とする診断支援システム。
【請求項２】
請求の範囲第１項に記載の診断支援システムにおいて、
前記解析センターは、
建物に関する情報を含む地図情報を記憶する地図情報記憶部をさらに含み、
前記推定処理部は、複数の前記ユーザの前記罹患可能性と、対応する前記位置と、および前記地図情報に含まれる建物に関する情報とに基づき、建物を単位とするエリア毎に前記疾患の罹患者の存在状況を推定することを特徴とする診断支援システム。
【請求項３】
請求の範囲第１項または第２項に記載の診断支援システムにおいて、
前記推定処理部は、前記疾患の罹患者の存在状況に基づき、エリア毎に前記疾患の原因となる原因物質の存在状況を推定することを特徴とする診断支援システム。
【請求項４】
請求の範囲第１項乃至第３項いずれかに記載の診断支援システムにおいて、
前記データ取得部は、前記症状データを前記症状データの作成日時にも対応付けて取得し、
推定処理部は、複数の前記ユーザの前記罹患可能性と、対応する前記位置および前記日時とに基づき、エリア毎および期間毎に前記存在状況を推定することを特徴とする診断支援システム。
【請求項５】
請求の範囲第４項に記載の診断支援システムにおいて、
前記解析センターは、
前記罹患可能性を、対応する前記位置が含まれるエリアおよび前記日時が含まれる期間における前記存在状況に応じて補正する補正処理部と、
前記補正処理部が補正した前記罹患可能性を前記移動端末に配信する配信処理部と、
をさらに含むことを特徴とする診断支援システム。
【請求項６】
請求の範囲第４項に記載の診断支援システムにおいて、
前記解析センターは、前記症状データに基づき計算された前記罹患可能性を、対応する前記位置が含まれるエリアおよび前記日時が含まれる期間における前記存在状況とともに前記移動端末に配信する配信処理部をさらに含むことを特徴とする診断支援システム。
【請求項７】
請求の範囲第６項に記載の診断支援システムにおいて、
前記移動端末は、
前記罹患可能性および対応する前記位置が含まれるエリアにおける前記存在状況を受信する受信部と、
前記罹患可能性を前記存在状況に応じて補正する補正処理部と、
をさらに含むことを特徴とする診断支援システム。
【請求項８】
疾患の罹患可能性を判断する診断支援システムであって、
被験者の症状を示す症状データを、前記症状データの作成位置および作成日時に対応付けて取得するデータ取得部と、
前記症状データと前記疾患の罹患者に発生する特徴を示す参照パラメータとに基づき、前記被験者が前記疾患に罹患している罹患可能性を計算する罹患可能性計算部と、
エリア毎および期間毎に、前記疾患の罹患者の存在状況を推定する推定処理部と、
前記罹患可能性を、前記位置および日時における前記存在状況に応じて補正する補正処理部と、
を含むことを特徴とする診断支援システム。
【請求項９】
請求の範囲第８項に記載の診断支援システムにおいて、
建物に関する情報を含む地図情報を記憶する地図情報記憶部をさらに含み、
前記推定処理部は、複数の前記ユーザの前記罹患可能性と、対応する前記位置と、および前記地図情報に含まれる建物に関する情報とに基づき、建物を単位とするエリア毎に前記疾患の罹患者の存在状況を推定することを特徴とする診断支援システム。
【請求項１０】
請求の範囲第９項に記載の診断支援システムにおいて、
前記推定処理部が推定した存在状況を前記地図情報とともに表示する表示処理部と、
前記表示処理部が表示した地図情報に含まれる地点の選択をユーザから受け付ける選択受付部と、
をさらに含み、
前記表示処理部は、ユーザが選択した地点における罹患者の存在状況を日時に対応付けて表示することを特徴とする診断支援システム。
【請求項１１】
請求の範囲第９項に記載の診断支援システムにおいて、
前記地図情報は、建物の部屋毎の情報を含み、
前記推定処理部は、複数の前記ユーザの前記罹患可能性と、対応する前記位置と、および前記地図情報に含まれる建物の部屋毎の情報とに基づき、部屋を単位とするエリア毎に前記疾患の罹患者の存在状況を推定し、
当該診断支援システムは、前記推定処理部が推定した存在状況を前記地図情報に含まれる建物とともに表示する表示処理部と、
前記表示処理部が表示した地図情報に含まれる地点の選択を前記部屋単位でユーザから受け付ける選択受付部と、
をさらに含み、
前記表示処理部は、ユーザが選択した部屋における罹患者の存在状況を表示することを特徴とする診断支援システム。
【請求項１２】
請求の範囲第８項乃至第１１項いずれかに記載の診断支援システムにおいて、
前記推定処理部は、前記疾患の罹患者の存在状況に基づき、エリア毎および期間毎に、前記疾患の原因となる原因物質の存在状況を推定することを特徴とする診断支援システム。
【請求項１３】
請求の範囲第８項乃至第１２項いずれかに記載の診断支援システムにおいて、
前記データ取得部は、同一エリアおよび同一期間における前記症状データを複数の被験者からそれぞれ取得し、
前記罹患可能性計算部は、前記複数の被験者の前記症状データそれぞれについて前記罹患可能性を計算し、
前記存在状況取得部は、前記複数の被験者の前記罹患可能性に基づき、当該エリアおよび期間における前記存在状況を推定することを特徴とする診断支援システム。
【請求項１４】
請求の範囲第８項乃至第１３項いずれかに記載の診断支援システムにおいて、
前記データ取得部は、前記被験者から、異なるエリアまたは異なる期間における複数の前記症状データを取得し、
前記罹患可能性計算部は、前記複数の症状データそれぞれについて前記罹患可能性を計算し、
前記補正処理部は、複数の前記罹患可能性とそれぞれ対応する前記エリアおよび期間における複数の前記存在状況との対応関係に基づき、前記罹患可能性を補正することを特徴とする診断支援システム。
【請求項１５】
請求の範囲第８項乃至第１４項いずれかに記載の診断支援システムにおいて、
前記データ取得部は、前記被験者から採取した試料中に疾患の罹患を特徴的に示す特徴成分が存在するか否かを示すデータを取得し、
前記罹患可能性計算部は、前記特徴成分が存在するか否かを示すデータと前記参照パラメータとに基づき、前記被験者が前記疾患に罹患している罹患可能性を計算することを特徴とする診断支援システム。
【請求項１６】
請求の範囲第１５項に記載の診断支援システムにおいて、
前記データ取得部は、前記特徴成分が存在するか否かを示すデータを取得したときとは異なるエリアまたは期間において、前記被験者が前記試料を採取したときと同様の症状を発症しているか否かに関する情報を取得し、
前記罹患可能性計算部は、前記特徴成分が存在するか否かを示すデータと前記情報とに基づき、前記被験者から前記情報を取得したときの前記被験者の前記罹患可能性を計算し、
前記補正処理部は、複数の前記罹患可能性とそれぞれ対応する前記エリアおよび期間における複数の前記原因物質の存在状況との対応関係に基づき、前記罹患可能性を補正することを特徴とする診断支援システム。
【請求項１７】
請求の範囲第１６項に記載の診断支援システムにおいて、
前記被験者は、移動端末を用いるユーザであって、
前記データ取得部は、前記移動端末から前記症状データを取得し、前記移動端末から前記症状データが送信されたときの当該移動端末の位置を前記症状データに対応付けて取得することを特徴とする診断支援システム。
【請求項１８】
疾患の罹患可能性を計算する診断支援システムであって、
被験者の症状を示す症状データを、前記症状データの作成位置および作成日時に対応付けて取得するデータ取得部と、
前記症状データと前記疾患の罹患者に発生する特徴を示す参照パラメータとに基づき、前記被験者が前記疾患に罹患している罹患可能性を計算する罹患可能性計算部と、
異なるエリアまたは異なる期間における複数の前記症状データに基づき計算された前記罹患可能性に基づき、エリア毎または期間毎に、前記疾患の罹患者の存在状況を予測する推定処理部と、
を含むことを特徴とする診断支援システム。
【請求項１９】
ユーザの症状を示す症状データに基づき、当該ユーザが疾患に罹患している罹患可能性を判断する解析センターを含む診断支援システムで用いられる移動端末であって、
前記ユーザから採取した試料中に疾患の罹患を特徴的に示す特徴成分が存在するか否かを検出する検出部と、
前記検出部による検出結果をユーザの症状を示す症状データとして前記解析センターに送信する送信処理部と、
を含むことを特徴とする移動端末。
【請求項２０】
請求の範囲第１９項に記載の移動端末において、
前記解析センターから、前記症状データに基づき判断された前記罹患可能性と、前記試料を採取した位置および日時における前記疾患の原因となる原因物質の存在状況とを受信する受信部と、
前記罹患可能性を前記存在状況に応じて補正する補正処理部と、
をさらに含むことを特徴とする移動端末。
【請求項２１】
請求の範囲第２０項に記載の移動端末において、
前記ユーザが前記試料を採取したときとは異なる位置または日時において、前記ユーザが前記試料を採取したときと同様の症状を発症しているか否かに関する情報の入力をユーザから受け付ける入力受付部と、
前記症状データに基づき判断された前記罹患可能性と、前記情報とに基づき、前記ユーザから前記情報を取得したときの前記ユーザの前記罹患可能性を計算する罹患可能性計算部と、
をさらに含み、
前記受信部は、前記ユーザが前記情報を入力した位置および日時における前記存在状況をも受信し、
前記補正処理部は、複数の前記罹患可能性とそれぞれ対応する前記位置および日時における複数の前記存在状況との対応関係に基づき、前記罹患可能性を補正することを特徴とする移動端末。
【発明の詳細な説明】
【技術分野】
【０００１】  本発明は、位置や時間に応じて発症しやすさが異なる疾患の罹患可能性を判断する診断支援システムに関する。
【背景技術】
【０００２】  近年、樹木、草、雑草等の花粉が鼻や目の中に入ることにより鼻汁が流れたり、涙目、くしゃみ、かゆみが起きたりする花粉症（枯草熱）等のアレルギー性疾患の罹患者が増えている。花粉が体内に入ると、アレルギーを起こす抗原（アレルゲン）が花粉から溶け出す。この抗原への免疫反応により、白血球が抗体（ＩｇＥ抗体）を作り出す。再び同じ抗原が体内に入ると、抗体が肥満細胞にアレルギー原因物質となるヒスタミン等を放出させる。ヒスタミン等のアレルギー原因物質が神経および細胞を刺激することにより、上記のような花粉症の症状が引き起こされる。【０００３】  このような花粉症の症状は風邪の初期症状と非常によく似ており、また、花粉症の原因としてよく知られているスギ花粉の飛散時期は１月下旬から４月頃と風邪がはやる時期と重なっている。また、花粉症は体内に蓄積された抗体が飽和状態になると誰でも発症し得る疾患であるため、前年まで花粉症に罹患していなかった人でも花粉症になっている可能性がある。【０００４】  さらに、花粉症等のアレルギー性疾患は、患者の体質だけでなく原因物質（花粉）の存在量に応じて、発症が軽くなったり重くなったりする。そのため、花粉が飛散する時期には、花粉症の疾患者は、何度も発症や緩解を繰り返し、発症する都度、風邪などの他の症状との判別が必要となる。そのため花粉症の罹患者であっても、風邪なのか花粉症の症状なのかを判断するのは困難である。【０００５】  花粉症に罹患しているか否かを診断する方法としては、たとえば抗原を塗布したシールを被験者の皮膚に貼り付けたり、抗原を被験者に注射する等して炎症反応を観察する方法、患者の体液に含まれるＩｇＥ抗体を調べる検査や好酸球を調べる検査が知られている。患者の体液に含まれるＩｇＥ抗体を調べる検査では、体液として血清が用いられることが多い。好酸球を調べる検査としては、鼻汁をスライドガラスに塗って染色した後、顕微鏡で観察して好酸球の数を検査する方法が知られている。風邪の場合は主として好中球が増えることから、この検査により、風邪と花粉症との区別をすることができる。【０００６】  また、抗原の刺激により患者の体液中に遊離するヒスタミンの量を測定することによっても起因となる抗原を検索することが可能である。特許文献１には、ヒスタミンに対する酵素を用いることでヒスタミンの量を測定するセンサーが実現できることが記載されている。【０００７】
【特許文献１】：特開平１０−１７０５１４号公報
【非特許文献１】：近藤徹弥ほか、愛知県産業技術研究所、平成１３年度  日本農芸化学会大会講演要旨集Ｐ３２２（２００１）
【発明の開示】
【０００８】
【０００９】  しかし、従来知られているような診断は、病院や検査機関での検査が必要であったため、手間がかかっていた。また、検査結果が出るまでに時間がかかるという問題もあった。そのため、初期の段階では風邪なのか花粉症なのかの判断が付かず、適切な薬を選択できずに症状が改善されないということがあった。さらに、通常、起因となる抗原を特定するのには費用がかかるという問題もあった。
【００１０】  また、従来、所定位置に配置したスライドガラス等に付着した花粉の数を数えることでアレルゲンとなる花粉量を測定する方法が知られている。しかし、このような方法ではスライドガラス等を配置したエリアにおける花粉量を把握することしかできなかった。また、花粉量が少ないと予報された地域でも、その地域内にある建物によっては室内に花粉が蓄積されており、花粉症の症状が発生することがある。
【００１１】  本発明は上記事情に鑑みなされたものであって、本発明の目的は、位置や時間に応じて発症しやすさが異なる疾患の罹患可能性を判断する診断支援を簡易に行うシステムを提供することにある。本発明の別の目的は、このような疾患の罹患者の存在状況や疾患の原因物質の存在状況、またはこれらの存在状況の予測を配信または提示するシステムを提供することにある。
【００１２】  より詳しくは、（１）ユーザが現在いる場所で、花粉症と他の病気との鑑別をすることを支援し、（２）ユーザが、発症可能性や原因物質の存在量という情報を地図情報と関連づけて把握することを支援し、（３）花粉症であるユーザが、花粉症を発症しやすい地域に行きそうになった場合に警戒情報を送るなどのサービスを提供することにある。
【００１３】  本発明によれば、ネットワークを介して接続された移動端末と解析センターとを含み、移動端末を用いるユーザの疾患の罹患可能性を判断する診断支援システムが提供される。移動端末は、ユーザから採取した試料中に疾患の罹患を特徴的に示す特徴成分が存在するか否かを検出する検出部と、検出部による検出結果をユーザの症状を示す症状データとして解析センターに送信する送信処理部と、を含む。解析センターは、症状データを、移動端末から症状データが送信されたときの移動端末の位置に対応付けて取得するデータ取得部と、症状データと疾患の罹患者に発生する特徴を示す参照パラメータとに基づき、ユーザが疾患に罹患している罹患可能性を計算する罹患可能性計算部と、複数のユーザの罹患可能性と対応する位置とに基づき、エリア毎に疾患の罹患者の存在状況を推定する推定処理部と、を含む。ここで、エリアとは、所定範囲の地帯のことである。エリアは、たとえば、地図上にｘ軸およびｙ軸で設定して定めることができる。なお、解析センターは、罹患可能性や存在状況を移動端末に配信する配信部をさらに含むこともできる。
【００１４】  ここで、疾患とは、位置や時間に応じて発症しやすさが異なる疾患である。このような疾患として、たとえば花粉症等のアレルギー性疾患、騒音、悪臭、光化学スモック等局所的に発生する原因により生じる疾患、インフルエンザや重症急性呼吸器症候群（ＳＡＲＳ）等感染性の疾患等を挙げることができる。移動端末を用いるユーザとは、移動端末を保持しているユーザのことである。
【００１５】  参照パラメータは、罹患者の特徴を示すデータおよび非罹患者の特徴を示すデータを含むことができる。罹患可能性計算部は、症状データをこのような参照パラメータ、または参照パラメータに基づき算出された基準値と比較して罹患可能性を計算することができる。
【００１６】  また、罹患可能性計算部は、種々の数理モデルを用いて罹患可能性を計算することができる。たとえば、症状データと医者による診断結果のデータセットに基づきニューラルネットワーク（たとえばＨａｎｄｂｏｏｋ  ｏｆ  Ｎｅｕｒａｌ  Ｃｏｍｐｕｔａｔｉｏｎ，Ｐａｒｔ  Ｃ，Ｆｉｅｓｌｅｒ，Ｅ．ａｎｄ  Ｂｅａｌｅ，Ｒ．ｅｄｓ．，Ｉｎｓｔｉｔｕｔｅ  ｏｆ  ｐｈｙｓｉｃｓ  ｐｕｂｌｉｓｈｉｎｇ（Ｂｒｉｓｔｏｌ）ａｎｄ  Ｏｘｆｏｒｄ  Ｕｎｉｖｅｒｓｉｔｙ  Ｐｒｅｓｓ（Ｎｅｗ  Ｙｏｒｋ），１９９７参照）を作成し、ユーザから送信される症状データを入力して罹患可能性の計算結果を得ることもできる。この場合、移動端末からは症状データとともに位置および日時を送信することもでき、これらのデータを入力パラメータとして新たなニューラルネットワークを作成し、位置および日時をも考慮して罹患可能性を計算することもできる。
【００１７】  また、罹患可能性計算部は、多変量解析の一種であるクラスター分類（たとえば宮本正明「クラスター分析入門」森北出版株式会社，１９９９参照）により罹患可能性を計算することもでき、この場合、参照パラメータは典型データ群とすることができる。さらに、罹患可能性計算部は、ＩＤ３等の決定木分類方法（たとえばＣ４．５−Ｐｒｏｇｒａｍｓ  ｆｏｒ  ｍａｃｈｉｎｅ  ｌｅａｒｎｉｎｇ−，Ｊ．Ｒｏｓｓ  Ｑｕｉｎｌａｎ  ｅｄ．，Ｍｏｒｇａｎ  Ｋａｕｆｍａｎｎ  ｐｕｂｌｉｓｈｅｒｓ，１９９３．参照）を利用して罹患可能性を計算することもでき、この場合、参照パラメータは分類規則とすることができる。さらに、本発明の診断支援システムを利用して罹患可能性の判断を受けたユーザが医者の診断を受けた場合、その診断結果を参照パラメータに反映することもできる。
【００１８】  本発明の診断支援システムによれば、ある疾患に罹患している罹患可能性に基づき、エリア毎にその疾患の罹患者の存在状況を推定することができる。診断支援システムは、ネットワーク等を介して、このような罹患者の存在状況を配信することができる。これにより、多くの人々がエリア毎のある疾患の発症状況を把握することができ、発症状況を疾患の予防に活用したり、自分の症状と他人の発症状況とに応じて自己の罹患可能性の判断に活用したりすることができる。
【００１９】  本発明の診断支援システムにおいて、推定処理部は、疾患の罹患者の存在状況に基づき、エリア毎に疾患の原因となる原因物質の存在状況を推定することができる。このようにすれば、精度よく、細分化されたそれぞれのエリアにおける原因物質の存在状況を推定することができる。診断支援システムは、ネットワーク等を介して、このような原因物質の存在状況を配信することができる。これにより、多くの人々がエリア毎のある疾患の原因物質の存在状況を把握することができ、自分の症状と原因物質の存在状況とに応じて自己の罹患可能性の判断に活用することができる。
【００２０】  本発明の診断支援システムにおいて、解析センターは、建物に関する情報を含む地図情報を記憶する地図情報記憶部をさらに含むことができ、推定処理部は、複数のユーザの罹患可能性と、対応する位置と、および地図情報に含まれる建物に関する情報とに基づき、建物を単位とするエリア毎に疾患の罹患者の存在状況を推定することができる。
【００２１】  本発明の診断支援システムにおいて、データ取得部は、症状データを症状データの作成日時にも対応付けて取得することができ、推定処理部は、複数のユーザの罹患可能性と、対応する位置および日時とに基づき、エリア毎および期間毎に存在状況を推定することができる。
【００２２】  ここで、「症状データの作成日時」とは、たとえば、ユーザが自分の体液等を試料として採取した日時、ユーザが検出部により特徴成分の存在の有無を検出した日時、ユーザが症状データを解析センターに送信した日時、解析センターが症状データを受信した日時とすることができる。
【００２３】  本発明の診断支援システムにおいて、ある疾患に罹患している罹患可能性に基づき、エリア毎および期間毎にその疾患の発症状況および原因物質の存在状況を推定することができる。診断支援システムは、このようなエリア毎および期間毎の発症状況および原因物質の存在状況に基づき、発症状況や原因物質の存在状況の予測を行うことができる。また、診断支援システムは、ネットワーク等を介して、このような予測を配信することができる。これにより、多くの人々が予測に応じてその疾患への対策をたてて行動をすることができる。
【００２４】  本発明の診断支援システムにおいて、解析センターは、罹患可能性を、対応する位置が含まれるエリアおよび日時が含まれる期間における存在状況に応じて補正する補正処理部と、補正処理部が補正した罹患可能性を移動端末に配信する配信処理部と、をさらに含むことができる。
【００２５】  本発明の診断支援システムにおいて、解析センターは、症状データに基づき判断された罹患可能性を、対応する位置が含まれるエリアおよび日時が含まれる期間における存在状況とともに移動端末に配信する配信処理部をさらに含むことができる。
【００２６】  本発明の記載の診断支援システムにおいて、移動端末は、罹患可能性および対応する位置が含まれるエリアにおける存在状況を受信する受信部と、罹患可能性を存在状況に応じて補正する補正処理部と、をさらに含むことができる。
【００２７】  本発明によれば、疾患の罹患可能性を判断する診断支援システムであって、被験者の症状を示す症状データを、症状データの作成位置および作成日時に対応付けて取得するデータ取得部と、症状データと疾患の罹患者に発生する特徴を示す参照パラメータとに基づき、被験者が疾患に罹患している罹患可能性を計算する罹患可能性計算部と、エリア毎および期間毎に、疾患の罹患者の存在状況を推定する推定処理部と、罹患可能性を、位置および日時における存在状況に応じて補正する補正処理部と、を含むことを特徴とする診断支援システムが提供される。
【００２８】  被験者は、移動端末または固定端末から診断支援システムに送信することができる。ここで、「症状データの作成位置」とは、たとえば、被験者に症状が生じた位置とすることができる。被験者が移動端末から症状データを送信する場合、被験者が症状データを解析センターに送信したときの移動端末の位置を「症状データの作成位置」とすることができる。「症状データの作成日時」とは、たとえば、被験者に症状が生じた日時とすることができる。
【００２９】  推定処理部は、疾患の罹患者の存在状況に基づき、エリア毎および期間毎に、疾患の原因となる原因物質の存在状況を推定することができる。
【００３０】  本発明の診断支援システムにおいて、建物に関する情報を含む地図情報を記憶する地図情報記憶部をさらに含むことができ、推定処理部は、複数のユーザの罹患可能性と、対応する位置と、および地図情報に含まれる建物に関する情報とに基づき、建物を単位とするエリア毎に疾患の罹患者の存在状況を推定することができる。
【００３１】  本発明の診断支援システムは、推定処理部が推定した存在状況を地図情報とともに表示する表示処理部と、表示処理部が表示した地図情報に含まれる地点の選択をユーザから受け付ける選択受付部と、をさらに含むことができ、表示処理部は、ユーザが選択した地点における罹患者の存在状況を日時に対応付けて表示することができる。表示処理部は、たとえばユーザが地図上の建物をクリックすると、その建物を表示するとともに、その建物の中のエリア毎の疾患の罹患者の存在状況や原因物質の存在状況を表示することができる。
【００３２】  本発明の診断支援システムにおいて、地図情報は、建物の部屋毎の情報を含むことができ、推定処理部は、複数のユーザの罹患可能性と、対応する位置と、および地図情報に含まれる建物の部屋毎の情報とに基づき、部屋を単位とするエリア毎に疾患の罹患者の存在状況を推定することができ、当該診断支援システムは、推定処理部が推定した存在状況を地図情報に含まれる建物とともに表示する表示処理部と、表示処理部が表示した地図情報に含まれる地点の選択を部屋単位でユーザから受け付ける選択受付部と、をさらに含むことができ、表示処理部は、ユーザが選択した部屋における罹患者の存在状況を表示することができる。ここで、表示処理部は、建物を二次元で表示することもでき、また三次元表示することもできる。
【００３３】  本発明の診断支援システムにおいて、データ取得部は、被験者から採取した試料中に疾患の罹患を特徴的に示す特徴成分が存在するか否かを示すデータを取得することができ、罹患可能性計算部は、特徴成分が存在するか否かを示すデータと参照パラメータとに基づき、被験者が疾患に罹患している罹患可能性を計算することができる。この場合、被験者側の端末には、ユーザから採取した試料中に疾患の罹患を特徴的に示す特徴成分が存在するか否かを検出する検出部を設けることができる。ここで、「症状データの作成日時」とは、たとえば、被験者が自分の試料を採取した日時、被験者が検出部により特徴成分の存在の有無を検出した日時、被験者が症状データを解析センターに送信した日時、解析センターが症状データを受信した日時とすることができる。
【００３４】  本発明の診断支援システムにおいて、データ取得部は、同一エリアおよび同一期間における症状データを複数の被験者からそれぞれ取得することができ、罹患可能性計算部は、複数の被験者の症状データそれぞれについて罹患可能性を計算することができ、存在状況取得部は、複数の被験者の罹患可能性に基づき、当該エリアおよび期間における原因物質の存在状況を推定することができる。
【００３５】  本発明の診断支援システムにおいて、データ取得部は、被験者から、異なるエリアまたは異なる期間における複数の症状データを取得し、罹患可能性計算部は、複数の症状データそれぞれについて罹患可能性を計算することができ、補正処理部は、複数の罹患可能性とそれぞれ対応するエリアおよび期間における複数の存在状況との対応関係に基づき、罹患可能性を補正することができる。
【００３６】  本発明の診断支援システムにおいて、データ取得部は、特徴成分が存在するか否かを示すデータを取得したときとは異なるエリアまたは期間において、被験者が試料を採取したときと同様の症状を発症しているか否かに関する情報を取得することができ、罹患可能性計算部は、特徴成分が存在するか否かを示すデータと情報とに基づき、被験者から情報を取得したときの被験者の罹患可能性を計算することができ、補正処理部は、複数の罹患可能性とそれぞれ対応するエリアおよび期間における複数の原因物質の存在状況との対応関係に基づき、罹患可能性を補正することができる。
【００３７】  本発明によれば、疾患の罹患可能性を判断する診断支援システムであって、被験者の症状を示す症状データを、症状データの作成位置および作成日時に対応付けて取得するデータ取得部と、症状データと疾患の罹患者に発生する特徴を示す参照パラメータとに基づき、被験者が疾患に罹患している罹患可能性を計算する罹患可能性計算部と、異なるエリアまたは異なる期間における複数の症状データに基づき計算された罹患可能性に基づき、エリア毎または期間毎に、疾患の罹患者の存在状況を予測する推定処理部と、を含むことを特徴とする診断支援システムが提供される。
【００３８】  本発明によれば、ユーザの症状を示す症状データに基づき、当該ユーザが疾患に罹患している罹患可能性を判断する解析センターを含む診断支援システムで用いられる移動端末であって、ユーザから採取した試料中に疾患の罹患を特徴的に示す特徴成分が存在するか否かを検出する検出部と、検出部による検出結果をユーザの症状を示す症状データとして解析センターに送信する送信処理部と、を含むことを特徴とする移動端末が提供される。
【００３９】  本発明の記載の移動端末において、解析センターから、症状データに基づき判断された罹患可能性と、試料を採取した位置および日時における疾患の原因となる原因物質の存在状況とを受信する受信部と、罹患可能性を存在状況に応じて補正する補正処理部と、をさらに含むことができる。
【００４０】  本発明の移動端末において、ユーザが試料を採取したときとは異なる位置または日時において、ユーザが試料を採取したときと同様の症状を発症しているか否かに関する情報の入力をユーザから受け付ける入力受付部と、症状データに基づき判断された罹患可能性と、情報とに基づき、ユーザから情報を取得したときのユーザの罹患可能性を計算する罹患可能性計算部と、をさらに含むことができ、受信部は、ユーザが情報を入力した位置および日時における存在状況をも受信することができ、補正処理部は、複数の罹患可能性とそれぞれ対応する位置および日時における複数の存在状況との対応関係に基づき、罹患可能性を補正することができる。
【００４１】  本発明によれば、位置や時間に応じて発症しやすさが異なる疾患の罹患可能性を判断する診断支援を簡易に行うシステムが提供される。
【図面の簡単な説明】
【００４２】  上述した目的、およびその他の目的、特徴および利点は、以下に述べる好適な実施の形態、およびそれに付随する以下の図面によってさらに明らかになる。【００４３】［図１］本発明の実施の形態における移動端末および解析センターを含む診断支援システムを示す図である。
［図２］本発明の実施の形態における移動端末および解析センターの構成を示すブロック図である。
［図３］本実施の形態におけるチップの一例を示す図である。
［図４］本発明の形態における移動端末の一例を示す図である。
［図５］図４（ａ）のＣ−Ｃ’断面図である。
［図６］図２に示した解析情報記憶部のデータ構造の一例を示す図である。
［図７］図２に示したデータ記憶部のデータ構造の一例を示す図である。
［図８］図２に示した推定結果記憶部のデータ構造の一例を示す図である。
［図９］図２に示したユーザ情報記憶部のデータ構造の一例を示す図である。
［図１０］あるエリアおよび期間における複数のユーザの罹患可能性を統計的に示す図である。
［図１１］図２に示したエリア情報記憶部のデータ構造の一例を示す図である。
［図１２］あるユーザの症状データに基づき罹患可能性計算部が計算した罹患可能性と対応する日時および位置における花粉症の原因物質の存在状況との関係を示す図である。
［図１３］本発明の実施の形態における移動端末および解析センターの処理手順を示すフローチャートである。
［図１４］本発明の実施の形態における移動端末の構成を示すブロック図である。
［図１５］問診票の一例を示す図である。
［図１６］推定処理部により配信された原因物質の存在状況が地図情報とともに表示された画面を示す図である。
［図１７］チップの試料分離部の構造を示す図である。
［図１８］図３に示したチップの他の例を示す図である。
［図１９］図３に示したチップの他の例を示す図である。
［図２０］図１９を参照して説明したチップを外部の光源や検出器と接続するためのコネクタを示す図である。
［図２１］図１６に示した地図情報上のある地点における原因物質の存在状況の経時変化を示す図である。
【発明を実施するための最良の形態】
【００４４】  （第一の実施の形態）【００４５】  図１は、本発明の第一の実施の形態における移動端末１４および解析センター２０を含む診断支援システムを示す図である。本実施の形態において、診断支援システムは、ユーザが花粉症に罹患しているか否かを判断する。【００４６】  移動端末１４のユーザは、花粉症に罹患しているか否かを判断するための自己の症状を示す症状データを移動端末１４から解析センター２０に送信する。本実施の形態において、症状データは、ユーザから採取した鼻汁や血液等の試料中に花粉症の罹患を特徴的に示す特徴成分が含まれるか否かを示すデータである。ここでは、このような特徴成分の存在により発色する発色剤等を含むチップ１０１を用いる。特徴成分としては、たとえばヒスタミン、ＩｇＥ、またはロイコトリエン等を挙げることができる。チップ１０１の構成については後述する。【００４７】  移動端末１４は、通信機能を有する携帯電話やＰＤＡ（Ｐｅｒｓｏｎａｌ  Ｄｉｇｉｔａｌ  Ａｓｓｉｓｔａｎｔ）等である。移動端末１４は、チップ１０１の発色剤の発色を検出する検出部１６を含む。また、移動端末１４は、解析センター２０から送信される判断結果をユーザに提示可能に構成される。【００４８】  本実施の形態において、花粉症の診断を受けたいユーザは、予めチップ１０１を購入しておく。ユーザは、自分の鼻汁や血液等の体液を採取し、その体液を試料としてチップ１０１に導入し、発色剤と作用させる。その後、移動端末１４の検出部１６により、チップ１０１の発色剤の発色を検出する。移動端末１４は、検出結果をユーザの症状を示す症状データとして解析センター２０に送信する。本実施の形態において、ユーザが自分の体液を採取してから症状データを解析センター２０に送信するまでの工程は連続して同じ場所で一定時間内に行われるものとする。【００４９】  解析センター２０は、ユーザから送信された症状データと花粉症の罹患者に発生する特徴を示す参照パラメータとに基づき、そのユーザが花粉症に罹患している罹患可能性を判断し、判断した罹患可能性を移動端末１４に送信する。これにより、移動端末１４のユーザは病院や検査機関等に行くことなく、簡易な方法で自己の花粉症の罹患可能性を知ることができる。【００５０】  また、解析センター２０は、ユーザが移動端末１４から症状を送信したときの移動端末１４の位置情報を取得する。上述したように、本実施の形態において、ユーザが自分の体液を採取してから症状データを解析センター２０に送信するまでの工程は連続して行われるので、ユーザが移動端末１４から症状データを送信したときの移動端末１４の位置をユーザに症状が生じた位置と仮定して処理を行うことができる。解析センター２０は、複数のユーザの症状データおよび各症状データが送信されたときの各移動端末１４の位置情報に基づいて、花粉症の罹患者の存在状況および花粉症の原因となる原因物質の存在状況を推定する。解析センター２０は、このような罹患者や原因物質の存在状況に応じて、各ユーザの罹患可能性を補正することができる。また、解析センター２０は、エリア毎の罹患者や原因物質の存在状況を複数のユーザに配信したり、ネットワークを介してウェブページ等で公開することもできる。ここで、エリアは、ユーザが知りたい範囲によってその面積を任意に指定できるようにすることができる。エリアは、たとえば、地方、地名で指定される地域、建物、建物の一部屋とすることもできる。解析センター２０は、エリア毎の罹患者や原因物質の存在状況を地図上にマッピングして配信および公開することもできる。さらに、解析センター２０は、ユーザが病院や検査機関において、医者の診断やより精密な検査を受けた場合、その診断結果を示すデータを取得することができ、それらの診断結果を罹患可能性を判断する際の参照パラメータに反映させることができる。【００５１】  また、解析センター２０は、ユーザから症状データと共に、そのような症状を発症する原因物質を特定する情報を取得することもできる。原因物質は、花粉症の原因となり得る複数のアレルゲンを異なる液溜めに導入したチップを用いて特定することができる。ユーザはこのように構成されたチップに自分の体液を試料として導入し、試料と種々のアレルゲンとを反応させる。ユーザがいずれかのアレルゲンに対してアレルギー性疾患を有するか否かは、ユーザの体液中に特定の抗原に結合する抗体（ＩｇＥ）が存在するか否かを検出することで特定できる。この方法として、固相酵素免疫測定法（ＥＬＩＳＡ）を用いることができる。この方法において、まず、ユーザは、チップに試料を導入してアレルゲンと反応させた後、未反応の試料を洗浄除去する。次いで、チップにＩｇＥ等の抗体（１次抗体）に付着する二次抗体を導入して試料と反応させ、未反応の二次抗体を洗浄除去する。二次抗体には酵素が付けられている。次いで、二次抗体に付けられた酵素により分解されると発色する発色物質をチップに導入する。このようにすると、ＩｇＥ等の抗体が生じた液溜めにおいて発色物質が発色するため、液溜めに導入したアレルゲンの種類と発色度合いとを対応付けることにより、ユーザがどのアレルゲンに対してアレルギー性疾患を有するかを判断することができる。ユーザが移動端末１４からこのチップを用いた検出結果と上述したチップ１０１を用いた検出結果を解析センター２０に送信することにより、解析センター２０において、原因物質毎に罹患者および原因物質の存在状況を推定することができる。【００５２】  花粉症等のアレルギー性疾患は、原因物質（花粉）の存在量に応じて、発症したりしなかったりする。そのため、花粉が飛散する時期には、花粉症の疾患者は、何度も発症や緩解を繰り返し、発症する都度、風邪などの他の症状との判別が必要となる。さらに花粉症等のアレルギー性疾患は、花粉などの原因物質の存在量が同じ場合でも患者の体質に応じて発症したりしなかったりする。この場合、病院等で花粉症であると診断されたユーザは、同じような症状であっても、そうではないと診断されたユーザよりも花粉症が原因で症状がでている可能性が高くなると推定できる。ユーザ個人が病院で診断された診断結果を利用して「判定基準を個人向けに補正する」ことにより、ユーザ毎の診断を正確に行うことができるようになる。【００５３】  また、病院等で花粉症であると診断されたユーザも、花粉の飛散量によって発症の度合いが異なってくるため、チップ１０１を用いて時間および場所毎に検査を行い、その都度解析センター２０からの検査結果を受け取ることにより、花粉に対する対策をとることができる。【００５４】  図２は、本実施の形態における移動端末１４および解析センター２０の構成を示すブロック図である。【００５５】  解析センター２０は、解析処理部２２およびデータベース５０を含む。解析処理部２２は、データ取得部２６と、推定処理部３４と、罹患可能性計算部３６と、補正処理部３８と、送信処理部４０と、解析情報更新部４２と、配信処理部４４とを含む。【００５６】  データベース５０は、データ記憶部５２と、解析情報記憶部５４と、推定結果記憶部５６と、ユーザ情報記憶部５８と、エリア情報記憶部６０と、地図情報記憶部６２とを含む。【００５７】  解析センター２０の各構成要素は、ハードウエアコンポーネントでいえば、任意のコンピュータのＣＰＵ、メモリ、メモリにロードされた本図の構成要素を実現するプログラム、そのプログラムを格納するハードディスクなどの記憶ユニット、ネットワーク接続用インターフェースを中心に実現されるが、その実現方法、装置にはいろいろな変形例があることは、当業者には理解されるところである。これから説明する各図は、ハードウエア単位の構成ではなく、機能単位のブロックを示している。【００５８】  データ取得部２６は、移動端末１４から症状データを取得する。データ取得部２６は、ユーザの症状データをその症状データの作成位置および作成日時に対応付けて取得することができる。「症状データの作成日時」とは、たとえば、ユーザが自分の体液を採取した日時、ユーザがチップ１０１を用いて特徴成分を検出した日時、ユーザが移動端末１４を用いてチップ１０１の発色を検出した日時、またはユーザが移動端末１４から症状データを送信した日時とすることができる。また、解析センター２０が症状データを取得した日時を「症状データの作成日時」とすることもできる。このような日時は移動端末１４の計時機能または解析センター２０の計時機能に基づき決定されてもよく、ユーザの入力により決定されてもよい。【００５９】  「症状データの作成位置」とは、たとえば、移動端末１４を用いるユーザが症状データを解析センター２０に送信したときの移動端末１４の位置情報とすることができる。移動端末１４の位置情報は、移動端末１４の電波受信状態により、携帯電話網の基地局の位置検出機能を用いて取得することができる。また、ユーザがＧＰＳ機能付きの移動端末１４を保持している場合、ＧＰＳ測位機能を用いて取得することもできる。また、ユーザに移動端末１４から自分のいる位置情報を入力させることもできる。移動端末１４の位置情報は、症状データとともに解析センター２０に送信される。位置情報は、二次元の情報だけでなく、高さも含めた三次元の情報とすることもできる。【００６０】  データ取得部２６は、移動端末１４から症状データを取得すると、移動端末１４のユーザにそのユーザの自覚症状を入力させるための問診票を送信することもできる。データ取得部２６は、移動端末１４を介してユーザから入力された問診票に対する回答をも症状データとして取得することができる。【００６１】  データ取得部２６は、症状データ��その症状データの作成位置および作成日時に対応付けてデータ記憶部５２に書き込む。【００６２】  罹患可能性計算部３６は、症状データと参照パラメータとに基づき、そのユーザが花粉症に罹患している罹患可能性を計算する。解析情報記憶部５４は、罹患可能性計算部３６が罹患可能性を計算する際に参照する参照パラメータを記憶する。解析情報記憶部５４は、データ取得部２６が送信する問診票をも記憶することができる。データ記憶部５２は、罹患可能性計算部３６が症状データに基づき計算したユーザの花粉症の罹患可能性を症状データに対応付けて記憶する。【００６３】  推定処理部３４は、データ記憶部５２を参照して、複数のユーザの罹患可能性、位置、および日時に基づき、花粉症の罹患者の存在状況、および花粉症の原因となる原因物質の存在状況をエリア毎および期間毎に推定する。解析センター２０は、たとえば花粉症の原因となる原因物質の飛散情報や天気等の情報を取得する手段を含むことができ、推定処理部３４は、これらの情報をも考慮して花粉症の罹患者の存在状況や原因物質の存在状況を推定することができる。本実施の形態における診断支援システムによれば、様々な位置にいるユーザから送信される症状データに基づき原因物質の存在状況を推定するので、従来の所定位置に配置したスライドガラス等に付着した花粉の数を数えることでアレルゲンとなる花粉量を測定する方法よりも、さらに細分化されたエリアにおける原因物質の存在量等を把握することができ、原因物質の存在状況を精度よく推定することができる。【００６４】  さらに、推定処理部３４は、花粉症の罹患者の存在状況や花粉症の原因物質の存在状況を予測することもできる。推定処理部３４は、各ユーザから取得した症状データ、その症状データの作成日時および作成位置、医者診断結果等そのユーザの個人情報、症状データに基づく罹患可能性計算部３６の計算結果、およびたとえば花粉症の原因となる原因物質の飛散情報や天気等の情報等の外部計測情報を考慮して、花粉症の罹患者の存在状況や花粉症の原因物質の存在状況を予測する。推定処理部３４による予測は、種々の数理モデルを用いて行うことができる。推定結果記憶部５６は、推定処理部３４が推定した花粉症の罹患者の存在状況、原因物質の存在状況やこれらの予測結果をエリア毎および期間毎に記憶する。【００６５】  配信処理部４４は、エリア毎および期間毎の花粉症の罹患者の存在状況、原因物質の存在状況やこれらの予測結果を他のユーザ等に配信する処理を行う。【００６６】  地図情報記憶部６２は、地図情報を記憶する。配信処理部４４は、地図情報記憶部６２に記憶された地図情報とともに花粉症の罹患者や原因物質の存在状況を配信することができる。これにより、他のユーザがあるエリアおよび期間における花粉症の罹患者や原因物質の存在状況を把握することができ、予防や自分の罹患可能性の判断に活用することができる。【００６７】  また、地図情報記憶部６２は、地図情報に含まれるエリアの建物に関する情報を含むこともでき、推定処理部３４は、建物を単位とするエリア毎に花粉症の罹患者や原因物質の存在状況を推定することもできる。さらに、地図情報は、建物の部屋毎の情報を含むこともでき��。これにより、花粉症の罹患者や原因物質の存在状況をより細分化して推定することができる。また、配信処理部４４は、このような推定結果を、たとえば建物の管理者等に配信することもできる。これにより、本発明の診断支援システムをたとえば悪臭や騒音が原因の疾患の診断支援に適用する場合、建物の管理者にそのような原因を排除する処理を促すことができる。【００６８】  図１６は、配信処理部４４により配信された原因物質の存在状況が地図情報とともに表示された画面を示す図である。配信処理部４４は、たとえば図１６（ａ）に示した地図情報の中からユーザがある領域を選択すると、図１６（ｂ）に示すように、その領域に含まれるエリア毎の原因物質の存在状況が表示される形式でデータを配信することができる。また、図１６（ｃ）に示すように、建物毎の原因物質の存在状況を配信することもでき、ある建物の中のある特定の階や部屋における原因物質の存在状況を配信することもできる。さらに、配信処理部４４は、ユーザから配信を希望する位置の入力を受け付け、その位置における原因物質の存在状況が時系列的に表示されるようにデータを配信することもできる。図２１は、図１６（ｃ）に示した建物のある地点をユーザが選択した場合に、その地点における原因物質の存在状況の経時変化を示す図である。配信処理部４４は、図２１に示すようなデータをユーザに配信する。図２１において、原因物質の存在状況を縦軸として示したが、配信処理部４４は、ユーザ毎の罹患可能性や罹患者の存在状況を縦軸としたグラフを配信することもできる。【００６９】  図２に戻り、ユーザ情報記憶部５８は、ユーザ毎に、ユーザＩＤ、ユーザのメールアドレス等を記憶する。エリア情報記憶部６０は、複数のエリアの位置情報を記憶する。【００７０】  補正処理部３８は、データ記憶部５２および推定結果記憶部５６を参照して、ユーザから取得した症状データと、その症状データの作成位置および日時における花粉症の罹患者の存在状況や原因物質の存在状況とを考慮して、ユーザの花粉症の罹患可能性を補正する。補正処理部３８は、ユーザから取得した症状データの取得日時における花粉症の罹患者の存在状況や原因物質の存在状況の予測結果を考慮してユーザの花粉症の罹患可能性を補正することもできる。【００７１】  送信処理部４０は、罹患可能性計算部３６により計算された罹患可能性および補正処理部３８により補正された罹患可能性を移動端末１４に送信する。データ取得部２６は、ユーザから症状データとともにユーザＩＤを受け付ける。送信処理部４０は、ユーザＩＤに基づき、ユーザ情報記憶部５８を参照してユーザのメールアドレスに罹患可能性を送信する。【００７２】  解析情報更新部４２は、移動端末１４のユーザや病院・検査機関等から医者の診断による診断結果を受け付け、診断結果に基づき、解析情報記憶部５４に記憶された参照パラメータ等の情報を更新する。参照パラメータの更新については後述する。【００７３】  移動端末１４は、検出部１６、送受信部１８、および入出力部１９を含む。ここで、検出部１６は、たとえば分光光度計、蛍光光度計、またはＣＣＤカメラ等である。送受信部１８は、検出部１６が検出した検出結果をユーザの症状��示す症状データとして解析センター２０に送信する。また、送受信部１８は、解析センター２０から罹患可能性計算部３６が計算した罹患可能性や補正処理部３８により補正された罹患可能性を受信する。送受信部１８は、受信した罹患可能性を入出力部１９に伝達する。入出力部１９は、罹患可能性を表示部等（不図示）に出力し、ユーザに提示する。【００７４】  次にチップ１０１の構成の具体例を説明する。【００７５】  図３は、本実施の形態におけるチップ１０１の一例を示す図である。本実施の形態において、チップ１０１は、花粉症の罹患を特徴的に示す、たとえばヒスタミン、ＩｇＥ、またはロイコトリエン等の特徴成分が被験者の体液に含まれるか否か、含まれる場合どの程度含まれるかを検出するために用いられる。たとえば、ヒスタミンを検出する場合、ＥＬＩＳＡ、蛍光法、センサを用いた方法（非特許文献１）を用いることができる。センサを用いる場合、センサは、チップ１０１状に設けてもよく、また移動端末１４側に設けることもできる。また、ＩｇＥを検出する場合、ＥＩＡ法（免疫測定法）を用いることができる。ＥＩＡ法を用いてＩｇＥを検出している例としてはオリトンＩｇＥ「ケミファ」、日本ケミファ株式会社を挙げることができる。また、ロイコトリエンを検出する場合、ＥＬＩＳＡを用いることができる。【００７６】  チップ１０１は、ユーザが携帯可能な大きさに構成される。また、本実施の形態におけるチップ１０１は、綿棒、スポイト、または注射針等ユーザの体液を採取するための試料採取器具１２０と組み合わせて用いられる。チップ１０１は、試料導入部１０２と、前処理部１０４と、試料分離部１０６と、検出反応部１０８と、廃液溜１１０とを含む。チップ１０１は、たとえばプラスチックにより構成することができ、プラスチック板に溝および液溜めを形成することにより、試料導入部１０２、前処理部１０４、試料分離部１０６、検出反応部１０８、および廃液溜１１０等が設けられる。また、ここでは図示していないが、チップ１０１にはフタを設けることができ、試料導入部１０２や廃液溜１１０が開口された構成とすることができる。前処理部１０４や試料分離部１０６には、乾燥した試料がセットされる。【００７７】  前処理部１０４には、たとえば粘稠性低下剤として塩化リゾチームが導入されており、試料導入部１０２から試料が導入されると、塩化リゾチームと混合されることにより試料の粘稠性を低下することができる。また、前処理部１０４に適宜バッファを導入することにより、試料のｐＨを調整することもできる。さらに、前処理部１０４において、フィルタを設けておき、不純物を除去することもできる。試料分離部１０６において、試料が分離され、細胞が除去されて液体成分のみが検出反応部１０８に導入される。【００７８】  次に、図１７を参照して、チップ１０１の試料分離部１０６の構造の例を説明する。図１７は、図３の試料分離部１０６の構造を詳細に示したものである。チップ１０１は、たとえばシリコン、ガラス、石英、各種プラスチック材料、またはゴム等の弾性材料により構成することができる。試料分離部１０６は、細胞やその破壊された構造物が通り抜けられないサイズ（たとえば０．１μｍ〜１μｍ）の隙間を有する障害物で構成されたフィルタである。障害物は、隣立する柱（ピラー）でも並列された壁でも、撚糸でも、多孔質体でもよい。ここで、試料分離部１０６はこのような材料に設けられた溝部および溝部内に配置された円柱形状のピラー２２５により実現することができる。このように構成された試料分離部１０６において、ピラー２２５間の間隙を試料が透過する。ここで、分子サイズが大きい程、ピラー２２５が障害となり、試料分離部１０６での通過時間が長くなる。分子サイズの小さいものは、ピラー２２５間の間隙を比較的スムーズに通過し、分子サイズが大きいものに比べて短時間で試料分離部１０６を通過する。これにより、細胞を除去して液体成分のみを検出反応部１０８に導入することができる。【００７９】  図３に戻り、検出反応部１０８には特徴成分の存在により発色する発色剤が導入されている。特徴成分がヒスタミンの場合、発色剤としては、たとえばジアゾカップリング剤等を用いることができる。なお、検出反応部１０８は、複数の液溜めを含むことができ、このうち一つの液溜めには発色剤を導入せず、参照用の液溜めとして用いることもできる。【００８０】  図４は、本実施の形態における移動端末１４の一例を示す図である。ここでは、検出部１６が分光光度計である場合を例として説明する。移動端末１４には、チップ１０１を挿入するためのチップ挿入部１３１が設けられている。図４（ａ）は、移動端末１４にチップ１０１が挿入されていない状態を示し、図４（ｂ）は、移動端末１４にチップ１０１が挿入された状態を示す。移動端末１４は、一般的な携帯電話等の移動端末と同様、電池パック１４０、アンテナ１４１、機能ボタン群１４３と、および表示部１４５等を有する。【００８１】  なお、ここでは移動端末１４に検出反応部１０８が設けられた形態を示したが、検出反応部１０８は、移動端末１４とは別に構成され、移動端末１４に接続される装置とすることもできる。これにより、移動端末１４本体の構成を簡易にすることができるとともに、移動端末１４に体液等の試料が付着するのを防ぐこともできる。この場合、移動端末１４と検出反応部１０８を含む装置とは、有線で接続されても無線で接続されてもよい。これらはたとえば、ＵＳＢ端子を介して接続されてもよく、Ｂｌｕｅｔｏｏｔｈ等の無線通信手段で接続されてもよい。また、検出反応部１０８を含む装置は、防水構成とすることが好ましく、洗浄可能な構成とすることが好ましい。【００８２】  図５は、図４（ａ）のＣ−Ｃ’断面図である。【００８３】  図５に示すように、移動端末１４のチップ挿入部１３１には検出部１６が設けられる。検出部１６は、光を照射する光源１３３ａおよび光源１３３ｂと、ならびにこれらの光源１３３ａおよび光源１３３ｂからの光をそれぞれ検出する受光部１３５ａおよび受光部１３５ｂとを含む。光源１３３ａおよび光源１３３ｂは、チップ挿入部１３１にチップ１０１が挿入されたときにチップ１０１の検出反応部１０８に光を照射することが可能な位置に設けられる。受光部１３５ａおよび受光部１３５ｂは、検出反応部１０８を透過した光を検出可能な位置に設けられる。光源１３３ａおよび光源１３３ｂの一方は参照用の液溜め��光を照射するのに用いることができる。移動端末１４のチップ挿入部１３１内には、チップ１０１を保持するための凸部１３９が形成されたパッキン１３７が設けられる。図示していないが、チップ１０１にはパッキン１３７の凸部１３９と嵌合する凹部が設けられてよく、これらが嵌合することにより、チップ１０１をチップ挿入部１３１に確実に装着することができる。これにより、光源１３３ａおよび光源１３３ｂからの光が確実にチップ１０１の検出反応部１０８に照射され、検出反応部１０８を透過した光を確実に受光部１３５ａおよび受光部１３５ｂにより受光することができる。【００８４】  受光部１３５ａおよび受光部１３５ｂは、受光した透過光の強度を電流（電流の強弱、または電圧の高低）に変換する。図示していないが、検出部１６は、受光部１３５ａおよび受光部１３５ｂが変換した電流値に基づき透過度を算出する演算部を含む。光源１３３ａおよび光源１３３ｂは、たとえば発光ダイオードとすることができる。また、受光部１３５ａおよび受光部１３５ｂは、たとえばフォトトランジスタとすることができる。なお、ここでは図示していないが、移動端末１４は、光源１３３ａおよび光源１３３ｂからの出射光を、光学フィルタを通す等して分光し、所定波長の光を照射するための分光部を有することもできる。このようにすれば、特定の波長にピークを有するような特徴成分の存在量を検出することができる。【００８５】  移動端末１４は、チップ１０１がチップ挿入部１３１に挿入された日時、または検出部１６がチップ１０１の検出反応部１０８の発色を検出した日時を検出結果に対応付けて記憶することができる。送受信部１８（図２参照）は、これらの日時を症状データ作成日時として解析センター２０に送信することができる。送受信部１８は、ユーザからの指示に基づき、検出部１６が検出した透過度をユーザの症状を示す症状データとして診断申込と共に解析センター２０に送信する。なお、送受信部１８は症状データをどのような形式で送信することもでき、たとえば移動端末１４において透過度を量子化して解析センター２０に送信することもできる。これにより、移動端末１４から解析センター２０までのデータの通信量を低減することができ、通信料を低減することができる。このように、検出部１６が検出した検出結果を解析センター２０に送信することにより、ユーザの症状データの客観性を保つことができる。【００８６】  なお、ここでは、検出部１６が透過度を検出するとして説明したが、検出部１６は、吸光度や散乱度を検出するよう構成することもできる。【００８７】  また、チップ１０１の構成および移動端末１４の検出部１６の構成は、上述したものに限られず、種々の構成とすることができる。【００８８】  たとえば、図１８（ａ）に示すように、試料分離部１０６および検出反応部１０８を流路１２８上に設け、検出反応部１０８の下方に光導波路１３２を形成することもできる。ここで、光導波路１３２は、たとえば石英系材料または有機系ポリマー材料により形成することができる。光導波路１３２は、周囲の材料よりも屈折率が高くなるように構成される。この場合、光導波路１３２にはチップ１０１の側面から光が導入され、同様に���チップ１０１の側面から光が取り出される。図１８（ｂ）は、図１８（ａ）におけるＤ−Ｄ’断面図である。図１８（ｃ）は、図１８（ａ）の投光用光導波路１３２ｃおよび受光用光導波路１３２ｄが形成された側面を示す図である。この場合、たとえば、移動端末１４の側壁または底面等にチップ１０１の投光用光導波路１３２ｃへ光を導入する光源および受光用光導波路１３２ｄからの光を受光するための検出器を設けておくことができる。このような構成にすれば、移動端末１４の側壁または底面等にチップ１０１の投光用光導波路１３２ｃおよび受光用光導波路１３２ｄが露出した面を接触させることにより、検出反応部１０８への光の導入および検出反応部１０８からの光の検出を行うことができる。【００８９】  さらに、チップ１０１は図１９に示すような構成とすることもできる。この場合も検出反応部１０８は流路１２８上に設けられる。ここで、チップ１０１は、少なくとも検出反応部１０８が設けられた領域において、金属光沢のある材料や、試料の屈折率より屈折率の低い材料により構成することができる。このようにすれば、試料をコア材とし、チップ１０１をクラッド材として、光導入部１２１ａから流路１２８に導入された光を試料中に閉じこめたまま検出反応部１０８に沿って伝達させ、光取り出し部１２１ｂから取り出すことができる。【００９０】  移動端末１４の検出部１６は図１８および図１９に示した構造のチップの検出反応部１０８における照射光の透過度を検出可能に構成される。【００９１】  図２０は、図１９を参照して説明したチップ１０１を外部の光源や検出器と接続するためのコネクタを示す図である。移動端末１４は、このようなコネクタを含む構成とすることができる。【００９２】  コネクタ１６０は、チップ１０１を収容して支持する支持体１４２と、それぞれ投光用光ファイバ１６４ａおよび受光用光ファイバ１６４ｂを保持するスライド部１６６ａおよびスライド部１６６ｂを含む。【００９３】  図２０（ｂ）に示すように、スライド部１６６ａおよびスライド部１６６ｂは、支持体１４２にチップ１０１が収容され、それぞれ矢印の方向にスライドされたときに、チップ１０１の接続部１２１ａおよび接続部１２１ｂに投光用光ファイバ１６４ａおよび受光用光ファイバ１６４ｂがそれぞれ接続されるように、投光用光ファイバ１６４ａおよび受光用光ファイバ１６４ｂを保持する。これにより、図２０（ｃ）に示すように、チップ１０１の接続部１２１ａおよび接続部１２１ｂ内に投光用光ファイバ１６４ａおよび受光用光ファイバ１６４ｂをそれぞれ挿入した構成とすることができる。このようにすれば、チップ１０１において、検出反応部１０８に沿って光路Ｌをかせぐことができ、検出反応部１０８中に存在する試料中の成分を精度よく検出することができる。【００９４】  図６は、図２に示した解析情報記憶部５４のデータ構造の一例を示す図である。ここでは、解析情報記憶部５４が、参照パラメータとして比較データを記憶している例を示す。参照パラメータは、実際に医者により診断を受けた被験者の体液を試料として図３〜図５を参照して説明したのと同様に透過度を測定した際の透過度と罹患の有無とを統計的に算出したデータに基���いて設定される。ここでは、透過度が０〜１５％の場合の罹患可能性が「＋＋＋」、透過度が１６〜３０％の場合の罹患可能性が「＋＋」、透過度が３１〜５０％の場合の罹患可能性が「＋」、透過度が５１〜７０％の場合の罹患可能性が「−」、透過度が７１〜８５％の場合の罹患可能性が「−−」、透過度が８６〜１００％の場合の罹患可能性が「−−−」であると設定されている。ここで、「＋＋＋」、「＋＋」、「＋」、「−」、「−−」、「−−−」の順で花粉症に罹患している可能性が高いことを示す。【００９５】  なお、図２に示した解析情報更新部４２は、医者の診断結果による診断結果と罹患可能性計算部３６による罹患可能性の計算結果を比較して、計算結果と診断結果の間にずれが生じているような場合、解析情報記憶部５４の参照パラメータを更新する。たとえば、罹患可能性計算部３６が図６に示したような比較データに基づきユーザの罹患可能性を計算する形態において、罹患可能性計算部３６が罹患可能性が低いと計算したユーザが医者により花粉症に罹患していると計算される例が多く発生するような場合、解析情報更新部４２は、各透過度の範囲に対する罹患可能性が高くなるように解析情報記憶部５４の設定を更新することができる。【００９６】  図７は、図２に示したデータ記憶部５２のデータ構造の一例を示す図である。データ記憶部５２は、ユーザＩＤ欄、位置（ｘ，ｙ）欄、日時欄、症状データ欄、および罹患可能性欄を含む。ユーザＩＤ欄は、ユーザの移動端末１４を識別するユーザＩＤを保持する。ユーザＩＤは、その他にもサービス契約番号や、保険証の番号等の一般的個人識別情報を含んでもよいが、解析センター２０は、これを適法に取得するものとする。位置（ｘ，ｙ）欄は、ユーザの位置を保持し、日時欄は、症状データの作成日時を保持する。症状データ欄は、データ取得部２６が取得した症状データを保持し、罹患可能性欄は罹患可能性計算部３６により計算された各ユーザが花粉症に罹患している可能性を保持する。なお、ここで位置情報を、ｘ軸およびｙ軸で表したが、位置情報は、地名や建物名とすることもできる。【００９７】  図８は、図２に示した推定結果記憶部５６のデータ構造の一例を示す図である。推定結果記憶部５６は、エリアＮｏ．欄、期間欄、および存在状況欄を含む。エリアＮｏ．欄は、所定のエリアを識別する番号を保持する。期間欄は年月日欄および時間欄を含む。存在状況欄は、対応付けられたエリアおよび期間における花粉症の原因となる原因物質の存在状況を保持する。ここで、たとえば、「＋＋−」、「−−」、「＋」、「−」の順で、原因物質の存在量が高いことを示す。【００９８】  図９は、図２に示したユーザ情報記憶部５８のデータ構造の一例を示す図である。ユーザ情報記憶部５８は、ユーザＩＤ欄、メールアドレス欄、名前欄、年齢欄、および医者診断欄を含む。ユーザＩＤ欄は、ユーザを識別するためのユーザＩＤを保持する。メールアドレス欄は、ユーザが保持する移動端末１４のメールアドレスを保持する。名前欄はユーザの名前、年齢欄はユーザの年齢を保持する。医者診断欄は、たとえば過去に医者で花粉症に罹患しているか否かの診断を受けたか否か、診断を受けた場合、花粉症と診断され��か否かに関する情報を保持する。ここでは、たとえば、医者の診断を受けて花粉症と診断された場合「＋」、花粉症ではないと診断された場合「−」、診断を受けていない場合ブランクで示される。たとえば、ユーザＩＤ「１」のユーザは「山本ハナコ」で、２５歳、メールアドレスが「ａａａ＠ｂｃｄ．ｃｏ．ｊｐ」、医者の診断で花粉症と診断されている。なお、ユーザ情報を取得するときは、これを適法に取得するものとする。【００９９】  図２に戻り、罹患可能性計算部３６は、ユーザの罹患可能性を計算する際に、医者の診断結果を参照して罹患可能性を計算することができる。たとえば、解析情報記憶部５４は、図６に示した比較データに加えて、医者により花粉症であると診断されたユーザ用の比較データを別途記憶することができる。医者により花粉症であると診断されたユーザの場合、透過度が高くても、罹患可能性が高くなるように設定することができる。図６では、透過度が１６〜３０％の場合は罹患可能性が「＋＋」と計算されるよう比較データが設定されているが、医者により花粉症と診断されているユーザの場合は、たとえば、透過度が１６〜３０％であっても、罹患可能性が「＋＋＋」と計算されるよう比較データを設定してもよい。【０１００】  また、推定処理部３４は、花粉症の原因物質の存在状況を推定する際に、各ユーザの罹患可能性と医者の診断結果とを考慮して存在状況を推定することができる。たとえば、罹患可能性が高いユーザにおける医者により花粉症と診断されたユーザの割合が高く、罹患可能性が低いユーザにおける医者により花粉症と診断されたユーザの割合が低いエリアや期間においては原因物質の存在量が高いと推定することができる。【０１０１】  図１０は、あるエリアおよび期間における複数のユーザの罹患可能性を統計的に示す図である。このエリアおよび期間において、データ取得部２６は、１００人のユーザの症状データを取得している。ここで、罹患可能性が「＋＋−」と計算されたユーザは４０人、「＋＋」と計算されたユーザは３０人、「＋」と計算されたユーザは１０人、「−」と計算されたユーザは１０人、「−−」と計算されたユーザは５人、「−−−」と計算されたユーザは５人である。ユーザの総数から各罹患可能性のユーザの割合を算出すると、罹患可能性が「＋−−」と計算されたユーザは４０％、「＋−」と計算されたユーザは３０％、「＋」と計算されたユーザは１０％、「−」と計算されたユーザは１０％、「−−」と計算されたユーザは５％、「−−−」と計算されたユーザは５％となる。推定処理部３４は、たとえば、罹患可能性が「＋＋＋」または「＋−」と計算されたユーザの割合に応じて、そのエリアおよび期間における原因物質の存在状況を推定することができる。解析情報記憶部５４は、どのような基準で存在状況の推定を行うかに関する情報をも記憶する。【０１０２】  推定処理部３４は、ユーザのうち、医者により花粉症であると診断された罹患者の人数についても統計処理を行う。ここで、ユーザのうち医者により花粉症の罹患者であると診断されたユーザの総数は５０人である。このうち、罹患可能性計算部３６により罹患可能性が「−＋−」と計算されたユーザは２６人、「−＋」と計算されたユーザは１８人、「＋」と計算されたユーザは５人、「−」と計算されたユーザは０人、「−−」と計算されたユーザは１人、「−−−」と計算されたユーザは０人である。ユーザの総数から各罹患可能性のユーザの割合を算出すると、罹患可能性が「＋＋＋」と計算されたユーザは５２％、「−−」と計算されたユーザは３６％、「＋」と計算されたユーザは１０％、「−」と計算されたユーザは０％、「−−」と計算されたユーザは２％、「−−−」と計算されたユーザは０％となる。推定処理部３４は、医者の診断により花粉症の罹患者であると診断されたユーザのうち、罹患可能性計算部３６により罹患可能性が「＋＋＋」または「＋＋」と計算されたユーザの割合をも考慮して、そのエリアおよび期間における原因物質の存在状況を推定することができる。【０１０３】  図１１は、図２に示したエリア情報記憶部６０のデータ構造の一例を示す図である。エリア情報記憶部６０は、エリアＮｏ．欄、始点位置（ｘ，ｙ）欄、および終点位置（ｘ，ｙ）欄を含む。エリアＮｏ．欄は図６に示したエリアＮｏ．欄に対応し、各エリアは、始点位置および終点位置をそれぞれ通るｘ軸およびｙ軸で囲まれた範囲に設定される。【０１０４】  図１２は、あるユーザの症状データに基づき罹患可能性計算部３６が計算した罹患可能性と対応する日時および位置における花粉症の原因物質の存在状況との関係を示す図である。たとえば、２００３年３月２５日１０時１１分にユーザＩＤ「１」のユーザから取得した症状データに基づく罹患可能性は「−＋＋」と計算されている。このとき、このユーザがいる位置における花粉症の原因物質の存在状況も「＋＋＋」と推定されている。そのため、補正処理部３８は、このときの罹患可能性を「＋＋＋」のままにしておく。一方、２００３年３月２６日１２時１５分にこのユーザから取得した症状データに基づく罹患可能性は「＋＋」と計算されている。このとき、このユーザがいる位置における花粉症の原因物質の存在状況は「−」と推定されている。そのため、補正処理部３８は、たとえば、このときの罹患可能性を「＋」に補正する。このように、補正処理部３８は、複数の日時または位置における同じユーザの罹患可能性と対応するエリアおよび期間における原因物質の存在状況とに基づき、このユーザの罹患可能性を補正する。【０１０５】  たとえば、症状データに基づき計算した罹患可能性が高く、原因物質の存在量も高い場合、花粉症に罹患している可能性が高いと計算することができる。一方、花粉症の原因物質の存在量が低いにも関わらず、症状データに基づき計算した罹患可能性が高い場合、花粉症ではなく、たとえば風邪等、原因物質の存在とは関係のない疾患に罹患している可能性が高いと計算することができる。また、花粉症の原因物質の存在量が低い場合、花粉症に罹患していても花粉症の症状が生じない可能性が高いため、症状データに基づき計算された罹患可能性が低くても、花粉症に罹患している可能性があると計算することができる。また、花粉症の原因物質の存在量が高いにも関わらず、症状データに基づき計算された罹患可能性が低い場合、花粉症に罹患していない可能性が高いと計算することができる。【０１０６】  また、補正処理部３８���、各日時における罹患可能性と存在状況とを個々に比較するのではなく、症状データに基づき計算された罹患可能性の高低と花粉症の原因物質の存在量の高低との対応関係に基づき、罹患可能性を補正することもできる。【０１０７】  ユーザは、解析センター２０に症状データを送る際に毎回体液を採取してチップ１０１により特徴成分の存在の有無を検出する必要はなく、一度体液を採取してチップ１０１により特徴成分の存在の有無を検出し、そのときと同様の症状が出ているか否かや、そのときと比較して症状が軽いか重いかに関する情報を問診票への回答のかたちで症状データとして解析センター２０に送信することができる。解析センター２０において、罹患可能性計算部３６は、ユーザからの問診票の回答および体液を採取した際の症状データとに基づき、各回毎に花粉症の罹患可能性を計算することができる。【０１０８】  図１３は、本実施の形態における移動端末１４および解析センター２０の処理手順を示すフローチャートである。【０１０９】  まず、移動端末１４において、ユーザがチップ１０１を用いて特徴成分を発色させ、移動端末１４の検出部１６により特徴成分を検出する（Ｓ１０）。移動端末１４は、特徴成分の検出結果をユーザの症状を示す症状データとして解析センター２０に送信する（Ｓ１２）。解析センター２０において、データ取得部２６は症状データ、その作成日時、およびその作成位置を取得する（Ｓ１４）。データ取得部２６は、症状データを位置および日時に対応付けてデータ記憶部５２に書き込む（Ｓ１６）。罹患可能性計算部３６は、症状データに基づき、解析情報記憶部５４を参照してそのユーザが花粉症に罹患している可能性を計算し（Ｓ１８）、罹患可能性をデータ記憶部５２に記憶する（Ｓ２０）。【０１１０】  推定処理部３４は、複数のユーザから送信されたデータに基づき、エリア毎、および所定の期間毎の花粉症の原因となる原因物質の存在状況を推定し（Ｓ２４）、その結果を推定結果記憶部５６に記憶する（Ｓ２６）。補正処理部３８は、データ記憶部５２および推定結果記憶部５６を参照して、罹患可能性計算部３６により計算された罹患可能性および原因物質の存在状況に基づき、各ユーザの罹患可能性を補正する（Ｓ２８）。送信処理部４０は、補正処理部３８が補正した罹患可能性を移動端末１４に送信する（Ｓ３０）。このとき、送信処理部４０は、補正前の罹患可能性も移動端末１４に送信することができる。また、推定処理部３４は、原因物質の存在状況を予測する（Ｓ３２）。ここで、存在状況の予測方法としては、たとえば、自己回帰モデルによる方法（たとえば時系列解析の実際Ｉ，赤池弘次監修，朝倉書店，東京，１９９４．、時系列解析の実際ＩＩ，赤池弘次監修，朝倉書店，東京，１９９５．参照）によって実現することができる。他のユーザから原因物質の存在状況やその予測の送信要求があると（Ｓ３４）、配信処理部４４は、そのユーザに原因物質の存在状況やその予測を配信する（Ｓ３６）。配信処理部４４は、ユーザから原因物質の存在状況やその予測の送信要求と共にそのユーザのユーザＩＤを取得することもでき、ユーザ情報記憶部５８を参照して、そのユーザがアレルギー性疾患を示す抗原に関する存��状況を送信する等、ユーザの過去の履歴に即した情報を送信することができる。また、配信処理部４４は、原因物質の存在状況や予測をウェブページ等に公開することもできる。なお、ステップ２２に示すように、罹患可能性を移動端末１４に送信した後に補正処理部３８による補正処理を行うこともできる。【０１１１】  本実施の形態における解析センター２０によれば、ユーザが移動端末１４から送信した症状データに基づき、ユーザが花粉症に罹患しているか否かを迅速に計算して推定結果を移動端末１４に送信するので、ユーザは迅速に自分の花粉症の罹患可能性を知ることができる。また、多数のユーザから得られた症状データに基づき、花粉症の原因物質の存在状況を推定することにより、ユーザの罹患可能性の計算にフィードバックさせたり他のユーザに提供することができる。これにより、多くの人が花粉症の原因物質の存在状況を正確に把握することができる。このように、ユーザの花粉症の罹患可能性を個々のユーザの症状だけでなく、原因物質の存在状況等に応じて補正するため、精度よく花粉症の罹患可能性を計算することができる。【０１１２】  チップ１０１を購入して症状データを送信したユーザだけでなく、それ以外の人も、花粉症の原因物質の存在状況を知ることにより、自己の症状と原因物質の存在状況とを比較することにより、自分が花粉症か否かを判断することが可能となる。このような原因物質の存在状況を有料で提供して被提供者から得られた料金をチップ１０１の製造費にあてることにより、チップ１０１を安価に製造することもできる。また、原因物質の存在状況をウェブページ等で提供する際に、広告情報とともに提供することもできる。このようにすると、広告料金をチップ１０１の製造費にあてることもできる。【０１１３】  （第二の実施の形態）【０１１４】  図１４は、本発明の第二の実施の形態における移動端末１４の構成を示すブロック図である。【０１１５】  本実施の形態においては、移動端末１４が補正処理部３８を有する点で、第一の実施の形態と異なる。本実施の形態においても、解析センター２０は、図２に示した第一の実施の形態と同様の構成を有する。ここで、解析センター２０は補正処理部３８を有しなくてもよい。【０１１６】  移動端末１４は、第一の実施の形態において図２、図４および図５を参照して説明した構成に加えて、補正処理部３８と、データ書込部７０と、記憶部７２とを含む。記憶部７２は、発生状況記憶部７４と補正前罹患可能性記憶部７６とを含む。本実施の形態において、第一の実施の形態と同様の構成要素には同様の符号を付し、適宜説明を省略する。【０１１７】  本実施の形態において、送受信部１８は、解析センター２０から罹患可能性計算部３６が計算した罹患可能性、および推定処理部３４が推定した存在状況を受信する。データ書込部７０は、送受信部１８が受信した罹患可能性および存在状況を補正前罹患可能性記憶部７６および発生状況記憶部７４にそれぞれ書き込む。補正処理部３８は、補正前罹患可能性記憶部７６および発生状況記憶部７４から罹患可能性および対応する位置および日時おける原因物質の存在状況と読み出し、これらを考慮してユーザの花粉症の罹患可能性を補正する。【０１１８】  これにより、移動端末１４のユーザは、解析センター２０から送信された罹患可能性に基づき、自己の花粉症の罹患可能性を知ることができるとともに、原因物質の存在状況に応じて補正処理部３８により補正された罹患可能性を知ることもでき、より精度よく罹患可能性を検知することができる。また、一度体液を採取してチップ１０１により特徴成分の存在の有無を検出し、解析センター２０から罹患可能性を受け取った後は、そのときと同様の症状が出ているか否かと、解析センター２０から送信される原因物質の存在状況とを考慮して移動端末１４側で花粉症の罹患可能性を時系列的に判断することもできる。【０１１９】  以上、本発明を実施の形態をもとに説明した。この実施の形態は例示であり、それらの各構成要素の組合せ等にいろいろな変形例が可能なこと、またそうした変形例も本発明の範囲にあることは当業者に理解されるところである。【０１２０】  たとえば、移動端末１４は検出部１６を有しない構造とすることもできる。この場合、たとえば、移動端末１４のユーザは解析センター２０から問診票を受け取り、問診票に対する回答を症状データとして解析センター２０に送信することができる。解析センター２０または移動端末１４に設けられた補正処理部３８は、位置または時期が異なる複数回の症状データに基づきそれぞれ判断された罹患可能性と、対応する位置および時期における花粉症の原因物質の存在状況とに基づき、罹患可能性を補正することができる。問診票への回答だけでは花粉症とたとえば風邪等他の疾患との区別が付きにくいが、花粉症の原因物質の存在状況との対応関係に基づき罹患可能性を補正することにより、精度よく花粉症に罹患しているか否かを判断することができる。【０１２１】  図１５は、問診票の一例を示す図である。ここで、問診票は、「鼻水」が出るかどうか、「くしゃみ」がでるかどうか、「のどの痛み」があるかどうか、「目のかゆみ」があるかどうか、「涙目」かどうかの項目をそれぞれたとえば５段階評価で入力するように構成されている。【０１２２】  さらに、チップ１０１とともに、チップ１０１の発色剤による発色量と原因物質の存在量とを対応付けたカラーチャートを組み合わせて配布することもできる。この場合、ユーザにカラーチャートをもとに原因物質の存在量を判断させ、その判断結果を移動端末１４に入力させて解析センター２０に送信させるようにすることもできる。【０１２３】  また、以上の実施の形態において、ユーザが移動端末１４から症状データを送信するとして説明したが、ユーザは、パーソナルコンピュータなど、固定の端末から症状データを送信する形態とすることもできる。この場合、ユーザは症状データの症状が生じた位置および日時を端末から入力し、症状データに対応付けて解析センター２０に送信する。これにより、以上の実施の形態で説明したのと同様に、解析センター２０は、花粉症の原因物質の存在状況を推定することができ、原因物質の存在状況に応じて罹患可能性を補正することもできる。【０１２４】  さらに、解析センター２０は、複数の原因物質について、原因物質毎の飛散状況を取得する手段を含むことができ、推定処理部３４は、このような飛散状況や医者の診断���より原因物質が特定されている罹患者に関する情報を考慮して、原因物質毎に存在状況を推定することもできる。この場合、解析センター２０は、原因物質毎の存在状況と各ユーザの罹患可能性とを考慮して、各ユーザが罹患の症状を示す原因物質を推定することもできる。これにより、簡易かつ安価な方法でアレルギー性疾患の起因となる抗原を推定することができる。【０１２５】  なお、以上の実施の形態では、花粉症を例として説明したが、測定方法であるＥＩＡ、ＥＬＩＳＡ、または免疫クロマトグラフィー法は、用いる一次抗体を適宜変更して、チップ１０１に導入しておくことにより、重症急性呼吸器症候群（ＳＡＲＳ：Ｓｅｖｅｒｅ  Ａｃｕｔｅ  Ｒｅｓｐｉｒａｔｏｒｙ  Ｓｙｎｄｒｏｍｅ）の罹患検査、インフルエンザ検査、ハウスダスト検査等を行うことができる。【０１２６】  また、チップ１０１にも識別情報を付与しておき、移動端末１４から症状データや位置データを解析センター２０に送る際に、チップ１０１の識別情報も同時に送信することもできる。その識別情報としてチップ１０１の供給者の情報やチップ１０１の種類、製造番号を含ませることにより、特定のチップ供給者からチップ１０１を購入した人だけに罹患可能性情報や予報情報を提供するサービスが可能になる他，チップ１０１の製品管理を行うことができる。
【図１】
2004098402.tif 000003
【図２】
2004098402.tif 000004
【図３】
2004098402.tif 000005
【図４】
2004098402.tif 000006
【図５】
2004098402.tif 000007
【図６】
2004098402.tif 000008
【図７】
2004098402.tif 000009
【図８】
2004098402.tif 000010
【図９】
2004098402.tif 000011
【図１０】
2004098402.tif 000012
【図１１】
2004098402.tif 000013
【図１２】
2004098402.tif 000014
【図１３】
2004098402.tif 000015
【図１４】
2004098402.tif 000016
【図１５】
2004098402.tif 000017
【図１６】
2004098402.tif 000018
【図１７】
2004098402.tif 000019
【図１８】
2004098402.tif 000020
【図１９】
2004098402.tif 000021
【図２０】
2004098402.tif 000022
【図２１】
2004098402.tif 000023
【国際調査報告】
2004098402.tif 000024
2004098402.tif 000025